(57)【要約】      （修正有）【課題】施設の利用者に対して適切な案内を簡単に行えるようにした案内装置を提供する。【解決手段】案内装置１００が設置された設置場所の近傍に利用者が移動することで属することが可能な１または複数の案内領域４００が指定されており、案内領域４００のいずれかに属した利用者を認識装置が認識すると、その利用者に関する属性情報を識別し、識別した属性情報を有する利用者に対し、その属性情報に基づき自案内装置１００が設置された設置場所において案内する案内情報をスピーカ２００から利用者が属している案内領域４００に向けて音出力する制御を行う。複数の案内領域４００それぞれに異なる利用者が属しているときには、各案内領域４００に属する利用者それぞれの属性情報に応じた各案内情報４００を各利用者が属している案内領域４００それぞれに向けて別々に音出力する制御を行う。【選択図】図１
2017161448.tif 000002
【特許請求の範囲】
【請求項１】
任意の施設における所定の設置場所に設置され、該施設の利用者に対して案内を行う案内装置において、
前記所定の設置場所の近傍に前記利用者が移動することで属することが可能な１または複数の案内領域が指定されており、
前記案内装置は、
前記利用者に案内する案内情報を音出力する音出力装置と、
前記利用者を認識可能な認識装置と
を備え、
前記案内領域のいずれかに属した利用者を前記認識装置が認識すると、該利用者に関する属性情報を識別する属性情報識別手段と、
前記属性情報識別手段によって識別した前記属性情報を有する利用者に対し、該属性情報に基づき自案内装置が設置された設置場所において案内する案内情報を、前記音出力装置から前記利用者が属している案内領域に向けて音出力する制御を行う音出力制御手段と
を具備し、
前記複数の案内領域それぞれに異なる利用者が属しているとき、前記属性情報識別手段によって識別した各案内領域に属する利用者それぞれの属性情報に応じた各案内情報を該利用者が属している案内領域それぞれに向けて別々に音出力する制御を行うことを特徴とする案内装置。
【請求項２】
前記音出力装置は、
特定の範囲に伝播する指向性を有しており、
前記案内情報の音出力方向が前記案内領域に向く位置に複数、設けられ、
前記音出力制御手段は、
前記案内情報を音出力する複数の音出力装置を選択し、選択した音出力装置それぞれから音出力される案内情報の音声データを合成することで前記案内領域に向けて音出力する制御を行うことを特徴とする請求項１記載の案内装置。
【請求項３】
前記認識装置は、
前記案内領域を含み、該案内領域によりも大きな案内準備領域に属した利用者を検知する検知手段と、
前記検知手段によって検知した利用者の移動経路を追跡する移動経路追跡手段と
を具備し、
前記音出力装置は、
前記移動経路追跡手段による追跡によって前記利用者が前記案内領域に属することとなり、所定の案内開始条件が成立することで前記案内情報の音出力を行うことを特徴とする請求項１または２に記載の案内装置。
【請求項４】
前記利用者に案内する案内情報を表示する表示装置
を備え、
前記表示装置は、
前記認識装置によって前記案内領域の利用者を認識すると、該利用者に対して前記音出力装置から音出力される案内情報と関連する案内表示情報を表示することを特徴とする請求項１乃至３のいずれかに記載の案内装置。
【請求項５】
前記表示装置は、
前記認識装置によって前記複数の案内領域それぞれで異なる利用者を認識しているとき、該利用者が属する案内領域に対応する表示領域における所定の表示位置に前記案内表示情報それぞれを表示することを特徴とする請求項４記載の案内装置。
【発明の詳細な説明】
【技術分野】
【０００１】
本発明は、施設を利用する利用者に対して案内を行う案内装置に関する。
【背景技術】
【０００２】
鉄道の駅、空港やバス、船舶等の発着所等の公共機関の施設のほか、不特定多数の利用者が利用する民間の施設には、その施設に設けられた設備やサービス等を効率的に利用できるようにその利用方法、利用順序や利用経路等が適宜、案内されている。特に、多くの利用者が利用する施設等においては、その案内の役割がとても重要となっている。
【０００３】
利用者に対して適切な案内が行われなければ、利用者が施設を効率的に利用できないばかりか混乱をきたすこととなり、不意な事故等の発生を招く原因ともなりかねない。
【０００４】
一般的には、施設の利用方法、利用順序や利用経路等が示されている案内板を用いて行われ、この案内板は施設内の各所に設置されている。利用者は、この案内板を参照することで必要な情報を収集して施設内の設備やサービスを利用することとなる。
【０００５】
このほか、近年の情報化社会に発展に伴い、案内板の代わりに、モバイル端末やデジタルサイネージと称される電子機器を用いて案内が行われる。利用者がこれらの電子機器に、利用条件を入力（例えば、施設内の設備名やサービス名等を入力）すると、これらの電子機器は、その入力された利用条件に基づく情報の検索を行い、その利用条件に合致したさまざまな情報をモニターに表示して案内を行っている。
【０００６】
後述する特許文献１では、個人に関する情報を特定できるカード等を用いてその個人が利用するエレベータや、このエレベータにより乗降するフロア階を特定し、その特定した内容を案内できるようにした技術が開示されている。
【０００７】
また、特許文献２では、個人カードに入力されている個人情報（言語情報を含む）や顔認証によって個人を特定し、出入の際に、この個人に対する適切な言語を用いてメッセージを報知（表示、音出力）する技術が開示されている。
【先行技術文献】
【特許文献】
【０００８】
【特許文献１】特許５５９８５９８号
【特許文献２】特開２０１３−１８１３６３号公報
【発明の概要】
【発明が解決しようとする課題】
【０００９】
上記に示すような案内は、全ての人物に対して行う必要はない。例えば、その利用する施設に熟知している利用者に対しては案内を行うまでもない。反対に、このような案内が不要な利用者にまで案内を行ってしまうと、本当に案内が必要としている利用者の妨げとなるほか、かえって効率的な施設の利用を阻害することとなってしまう。
【００１０】
また、利用者は、利用者毎に案内が必要な内容が異なっている場合が多く、各利用者がそれぞれ各人の利用条件を指定して必要な情報を引き出す作業は手間を要するほか、多くの時間を割くこととなる。
【００１１】
そこで、本発明は、施設の利用者に対して適切な案内を簡単に行えるようにした案内装置を提供することを目的とする。
【課題を解決するための手段】
【００１２】
上記目的を達成するため、請求項１に係る本発明は、任意の施設における所定の設置場所に設置され、該施設の利用者に対して案内を行う案内装置において、前記所定の設置場所の近傍に前記利用者が移動することで属することが可能な１または複数の案内領域が指定されており、前記案内装置は、前記利用者に案内する案内情報を音出力する音出力装置と、前記利用者を認識可能な認識装置とを備え、前記案内領域のいずれかに属した利用者を前記認識装置が認識すると、該利用者に関する属性情報を識別する属性情報識別手段と、前記属性情報識別手段によって識別した前記属性情報を有する利用者に対し、該属性情報に基づき自案内装置が設置された設置場所において案内する案内情報を、前記音出力装置から前記利用者が属している案内領域に向けて音出力する制御を行う音出力制御手段とを具備し、前記複数の案内領域それぞれに異なる利用者が属しているとき、前記属性情報識別手段によって識別した各案内領域に属する利用者それぞれの属性情報に応じた各案内情報を該利用者が属している案内領域それぞれに向けて別々に音出力する制御を行うことを特徴とする。
【００１３】
また、請求項２に係る本発明は、請求項１に係る発明において、前記音出力装置は、特定の範囲に伝播する指向性を有しており、前記案内情報の音出力方向が前記案内領域に向く位置に複数、設けられ、前記音出力制御手段は、前記案内情報を音出力する複数の音出力装置を選択し、選択した音出力装置それぞれから音出力される案内情報の音声データを合成することで前記案内領域に向けて音出力する制御を行うことを特徴とする。
【００１４】
また、請求項３に係る本発明は、請求項１または２に係る発明において、前記認識装置は、前記案内領域を含み、該案内領域によりも大きな案内準備領域に属した利用者を検知する検知手段と、前記検知手段によって検知した利用者の移動経路を追跡する移動経路追跡手段とを具備し、前記音出力装置は、前記移動経路追跡手段による追跡によって前記利用者が前記案内領域に属することとなり、所定の案内開始条件が成立することで前記案内情報の音出力を行うことを特徴とする。
【００１５】
また、請求項４に係る本発明は、請求項１乃至３のいずれかに係る発明において、前記利用者に案内する案内情報を表示する表示装置を備え、前記表示装置は、前記認識装置によって前記案内領域の利用者を認識すると、該利用者に対して前記音出力装置から音出力される案内情報と関連する案内表示情報を表示することを特徴とする。
【００１６】
また、請求項５に係る本発明は、請求項４に係る発明において、前記表示装置は、前記認識装置によって前記複数の案内領域それぞれで異なる利用者を認識しているとき、該利用者が属する案内領域に対応する表示領域における所定の表示位置に前記案内表示情報それぞれを表示することを特徴とする。
【発明の効果】
【００１７】
本発明によれば、施設の利用者に対して適切な案内を簡単に行えるようになるという効果を奏する。
【図面の簡単な説明】
【００１８】
【図１】本発明の実施の形態における案内装置を用いて行う案内の態様を示す図。
【図２】本発明の実施の形態における案内装置の表示部、出力部、センサーの状態を示す図。
【図３】本発明の実施の形態における案内装置と案内に用いられる領域との関係を示す図。
【図４】本発明の実施の形態における案内装置の近傍に設けられた案内領域と案内準備領域との関係を示す図。
【図５】本発明の実施の形態における案内装置の詳細な構成を示すブロック図。
【図６】本発明の実施の形態における案内装置の表示部における表示態様の一例を示す図。
【図７】本発明の実施の形態における案内装置の表示部における表示態様の一例を示す他の図。
【図８】本発明の実施の形態における案内装置において行われる案内制御処理の詳細な流れを示すフローチャート。
【発明を実施するための形態】
【００１９】
以下、本発明に係わる案内装置を用いた案内システムの一実施例を添付図面を参照して詳細に説明する。
【実施例】
【００２０】
図１は、本発明の実施の形態における案内装置を用いた案内態様を示す図である。
【００２１】
図１には、任意の施設の所定の場所に案内装置１００が設置された状態を示している。この案内装置１００は、施設を利用する利用者およびその利用者に関係する関係者（以下、総称して「利用者」と称する）に対して必要な情報を提供することで施設の利用案内を行う。このことから、必要な情報とは、案内装置１００が設置された施設を案内する情報（施設に関する情報）であって、「案内情報」若しくは「利用情報」と称される。この案内情報の提供を受けることで、利用者は、施設の効率的な利用や適切な利用が可能になる。
【００２２】
さらに、この案内情報は、案内装置１００が設けられた施設内の設置場所（設置位置）に基づき、その設置場所において利用者に案内するべき施設に関する情報である。つまり、案内装置１００が設けられた施設およびその施設内の設置場所等に応じて提供される情報が異なることがある。
【００２３】
このような案内情報を提供する図１に示すような案内装置１００は、施設内の天井部分等に２本の支柱によって接合（固定）されることで、天井から吊り下げられて設置された状態を示している。
【００２４】
この案内装置１００の近傍（特に、利用者が移動可能な床面）には、施設の利用者が移動して属することが可能な移動範囲が標記されている（テープ等で印が示されている）。
【００２５】
また、案内装置１００には、その近傍に標記されている移動範囲と略同サイズからなる案内領域４００（案内する領域として指定された「指定領域」とも称する）が予め設定されている。
【００２６】
すなわち、利用者がテープ等で標記された移動範囲に移動することで、案内装置１００は、案内領域４００に属することとなったと判断できる。このため、移動範囲と案内領域４００とは同義で用いられることから、説明の都合上、利用者が属する範囲を案内領域４００と定義する。
【００２７】
なお、より詳細には、後述する図３、図４に示すように、案内領域４００以外に、案内準備領域４０１も設けられているが、ここでは、予め設定されている案内領域４００をもとに説明する。
【００２８】
図１には、３つの案内領域４００（第１案内領域４００ａ、第２案内領域４００ｂ、第３案内領域４００ｃ）を示しているが、これは複数の案内領域４００を設けることが可能であることを示したものである。もちろん、複数の案内領域４００に限定されることはなく、単一の案内領域４００であってもよい。
【００２９】
言い換えれば、案内装置１００が設けられた設置場所の近傍に、１または複数の案内領域４００が設けられた構成であればよい。
【００３０】
また、この案内装置１００は、多面体からなり、装置内部に利用案内に関する制御処理を行う制御部（コントロール部）（記憶媒体（ＲＡＭ、ＲＯＭ）を含む）を内蔵し、利用者に対する施設の利用案内に用いるモニター１１０、スピーカ２００等の報知機構によって構成されている。この報知機構から案内情報が報知されることで、利用者は施設の利用案内の提供を受けることとなる。
【００３１】
このほか、案内装置１００には、案内領域４００等に属する利用者を認識可能な認識装置である利用者認識センサー（単に、「センサー３００」とも称する）も設けられている。
【００３２】
このときの案内装置１００における、モニター１１０、スピーカ２００、センサー３００の設置位置の詳細を図２に示しており、後述する。
【００３３】
また、センサー３００が利用者を認識する案内領域等とは、案内領域４００はもちろんのこと、図３に示すような案内準備領域４０１等をも含む。なお、この案内準備領域４０１については後述する。
【００３４】
スピーカ２００は、複数台（図１に示す例では、「６４台」）設けられており、音声による施設の利用案内を可能とした音声出力装置（音出力装置、音出力部）である。各スピーカ２００それぞれは、センサー３００によって利用者を認識した案内領域４００に対して利用案内の音声を指向する。このとき案内領域４００に音声を指向するスピーカ２００は、１または複数の任意のスピーカであって、全てのスピーカ２００を用いて音声を指向してもよいし、各案内領域４００に対して対応付けられたスピーカ２００を用いて音声を指向してもよい。
【００３５】
前者のように、単一の案内領域４００に音声を全てのスピーカ２００を用いて指向していた場合で、後述するように複数の案内領域４００にそれぞれ利用者が異なるタイミングで属することとなったときには、２つの案内領域４００それぞれで音声を指向するスピーカ２００を特定して、後から利用者が属することとなった案内領域４００に音声を指向する対象として特定されたスピーカ２００は、それまでの音声出力（音出力）を停止して、新たな音声の指向を開始することとなる。
【００３６】
また、後者のように、各案内領域４００に対して対応付けられたスピーカ２００を用いる場合、案内装置１００では、案内領域４００に対して音声を指向するスピーカ２００を対応付けて記憶しておき、利用者が属した案内領域４００に対するスピーカ２００を特定してその特定したスピーカ２００から音声を指向することとなる。
【００３７】
このように、利用者が属した案内領域４００に対して音声を指向することから、より好適には、「指向性スピーカ」である。
【００３８】
この「指向性スピーカ」は、音声の周波数や振幅を制御してスピーカから出力される波形を合成する（「波面合成」ともいう）ことで、特定の指向範囲である指定された案内領域４００にのみに音声出力を伝播することを可能にした指向型の音声出力装置の一例である。
【００３９】
言い換えれば、指向性スピーカは、指定された案内領域とは異なる他の案内領域には音声出力が行われないように制限できるものである。
【００４０】
スピーカ２００は、多面体の案内装置１００の下面部に設けられており、案内装置１００の近傍に設けられた案内領域４００に向けた方向（音出力方向）に音声出力される。もちろん、各スピーカ２００を可動し、音出力方向を変更できるようにすることで、案内領域４００のいずれかに音声出力できるようにしてもよい。なお、スピーカ２００が設けられた下面部と正対する上面部には、案内装置１００が天井と接合する支柱が設けられている。
【００４１】
また、モニター１１０は、案内装置１００の側面部（下面部、上面部と略直行する面部）を構成し、施設の利用案内に係る情報を表示するサイネージである。よって、モニター１１０は、表示装置、表示部、ディスプレイとも称することがある。なお、モニター１１０の代わりに、案内ボード、案内板と称される看板を用いて構成してもよい。
【００４２】
つまり、案内装置１００は、施設の利用案内に係る情報をデジタル表示することで適宜、その情報を変更可能なデジタルサイネージであってもよいし、一定の情報を常に示している案内看板であってもよい。
【００４３】
センサー３００は、スピーカ２００と同じ下面部に設けられており、案内領域４００それぞれに属する利用者を赤外線や超音波等を用いたセンシングによって認識する。このセンサー３００も、スピーカ２００と同様、案内装置１００の近傍に設けられた案内領域４００に向けた方向（検知方向）に赤外線や超音波等が出力されるように設けられている。
【００４４】
案内装置１００に内蔵された制御部は、センサー３００が案内領域４００に属した利用者を認識すると、その利用者に関する属性情報（「利用者情報」とも称する）を識別する「属性識別処理」を行う。この「属性識別処理」の詳細については後述する。
【００４５】
この利用者に関する属性情報は、利用者の属性を示す情報であって、例えば、性別、国、年齢、職業、使用言語、犯罪歴の有無等である。この中でも特に、利用者の属性情報として、「所属国」、「使用言語」を識別する。
【００４６】
このように利用者の属性情報を識別した制御部は、その属性情報を有する利用者に対して、案内装置１００が設置された設置場所において案内する案内情報をスピーカ２００から、利用者が属している案内領域４００に向けて音声出力する制御を行うとともに、その案内情報をモニター１１０から、利用者が属している案内領域４００に向けて表示する制御を行う。
【００４７】
これによって、案内装置１００は、利用者の属性情報に基づいてその利用者が属した案内領域４００に、適切な案内情報を音声出力することができるようになるとともに、適切な案内情報を表示することができるようになり、利用者は、音声および表示によって適切な利用案内の提供を受けることが可能となる。
【００４８】
上記のように、制御部によって「属性識別処理」が行われることで識別した属性情報は、施設の利用案内に関する案内情報の報知態様を決定するために用いられる情報であると言える。
【００４９】
また、利用者の属性情報として「所属国」や「使用言語」を識別することができれば、施設の利用案内に関する情報を利用者の「所属国」で使用する「使用言語」を用いた報知態様で報知することができる。
【００５０】
これによって、利用者は、施設の利用案内に関する情報を容易に取得することができ、効率的な施設の利用の促進に繋がる。
【００５１】
続いて、複数の案内領域４００のうち２以上の案内領域４００それぞれに異なる利用者が属しているときに行われる処理は、案内装置１００において、上記に示すような各案内領域４００に属した利用者の属性情報をそれぞれ識別し、各属性情報に応じた案内情報をその属性情報を有する利用者が属している案内領域４００に向けて別々に案内するものである。以下に、その一例を示す。
【００５２】
例えば、３つの案内領域４００（第１案内領域４００ａ、第２案内領域４００ｂ、第３案内領域４００ｃ）を有し、このうち第１案内領域４００ａと第２案内領域４００ｂに、「第１案内領域４００ａ→第２案内領域４００ｂ」の順序で異なるタイミングに、異なる利用者が属することとなったときに行われる処理について説明する。
【００５３】
利用者Ａが、第１案内領域４００ａに属することとなったとき、案内装置１００は、その利用者Ａを認識してその利用者Ａの属性情報を識別して、その第１案内領域４００ａに音声を指向するスピーカ２００を選択する（全てのスピーカ２００、または、第１案内領域４００ａに対応するスピーカ２００が選択される）。
【００５４】
続いて、利用者Ａとは異なる利用者Ｂが、第２案内領域４００ｂに属することとなったとき、案内装置１００は、利用者Ｂを認識してその利用者Ｂの属性情報を識別して、その第２案内領域４００ｂに音声を指向するスピーカ２００を選択する。このとき、各案内領域４００に対応付けてスピーカ２００が予め登録されている場合には、第２案内領域４００ｂに対応するスピーカ２００から音声が指向されることとなるが、第１案内領域４００ａに全てのスピーカ２００から音声が指向されている場合には、第２案内領域４００ｂに音声を指向するとして選択されたスピーカ２００が第１案内領域４００ａへの音声の指向を停止して、新たな音声を第２案内領域４００ｂに指向することとなる。
【００５５】
このように、複数の案内領域４００に同時期に各利用者が属することとなったとしても、案内装置１００は、各利用者の属性情報に応じた案内態様で案内を行うことが可能となる。
【００５６】
続いて、案内装置１００に内蔵された制御部において行われる「属性識別処理」について説明する。
【００５７】
この属性識別処理は、センサー３００において案内領域４００に利用者が属することを認識することで制御部において行われる処理である。
【００５８】
制御部は、センサー３００が利用者を認識したことで撮像した画像情報を受信すると、その画像情報をもとに画像解析を行い、利用者の特徴点を抽出する。そして、制御部は、抽出した特徴点と、予め記憶している特徴点とを照合し、一致した特徴点に対する属性情報の情報を用いて利用者の属性情報を識別する処理を行う。
【００５９】
これ以外にも、案内装置１００が、外部のデータベースと通信路で接続され、そのデータベースが利用者に関する属性情報を管理している状態にあるときには、案内装置１００の制御部は、データベースに画像情報を送信して、データベースがその画像情報をもとに特定した利用者の属性情報を受信することで識別するような構成であってもよい。
【００６０】
より具体的には、案内装置１００が空港（施設）の入国前検査フロア（設置位置）に設けられており、案内装置１００が旅券（パスポート）に関する情報を記憶しているデータベースにアクセスできるネットワーク接続環境にあるとき、案内装置１００の制御部は、センサー３００によって検知した画像情報をデータベースに送信する。このとき、データベースでは、この画像情報をもとに利用者を特定し、その利用者の旅券情報を特定する。そして、制御部では、データベースからこの旅券情報を受信することで、この旅券情報から利用者の属性情報を識別することが可能となる。
【００６１】
このような利用者の属性情報は、案内装置１００が設置された設置場所において案内する案内情報の報知態様を決定するための情報の一つとして用いられる。
【００６２】
図２は、本発明の実施の形態における案内装置のモニター、出力部、センサーの状態を示す図である。
【００６３】
図２において、案内装置１００は、モニター１１０が側面部を構成し、下面部に複数のスピーカ２００と、センサー３００とを配置している。
【００６４】
このときのスピーカ２００と、センサー３００とは互いにそれぞれが有する機能同士が干渉しない位置にそれぞれ設けられている。
【００６５】
図２では、第１センサー３００ａおよび第２センサー３００ｂの「２個」のセンサー３００が設けられた例を示している。これらのセンサー３００（第１センサー３００ａ、第２センサー３００ｂ）によって複数の案内領域４００のいずれかに利用者が属することとなったことを認識している。
【００６６】
特に、図１等に示すように、３つの案内領域４００（第１案内領域４００ａ、第２案内領域４００ｂ、第３案内領域４００ｃ）を有する構成においては、第１案内領域４００ａと第２案内領域４００ｂの中間地点に第１センサー３００ａを配置しており、第２案内領域４００ｂと第３案内領域４００ｃの中間地点に第２センサー３００ｂを配置している。
【００６７】
もちろん、図２に示すような「２個」のセンサー３００に限定されることはなく、「３個」以上のセンサー３００を設けることとしてもよい。特に、「３個」のセンサー３００を設ける場合、案内領域４００の数量と同一となることから、各案内領域４００（第１案内領域４００ａ、第２案内領域４００ｂ、第３案内領域４００ｃ）それぞれに対して、センサー３００を対応付けるようにしてもよい。つまり、いずれかのセンサー３００で利用者を認識すると、利用者を認識したセンサー３００に対応する案内領域４００に利用者が属したことを認識できる。
【００６８】
図３は、本発明の実施の形態における案内装置と案内に用いられる領域との関係を示す図である。
【００６９】
図３は、案内装置１００が接合された天井から案内領域４００が設けられた床面の方向に向かってみたときの様子を示したものである。この図３には、案内装置１００と、その案内装置１００の近傍に設けられた案内領域４００とのほか、案内準備領域４０１についても示されている。
【００７０】
この案内準備領域４０１は、各案内領域４００に対応するものであって、各案内領域４００に対応して案内準備領域４０１が設けられている。具体的には、第１案内領域４００ａに対応する第１案内準備領域４０１ａが設けられており、第２案内領域４００ｂに対応する第２案内準備領域４０１ｂが設けられており、第３案内領域４００ｃに対応する第３案内準備領域４０１ｃが設けられている。
【００７１】
各案内準備領域４０１は、対応する案内領域４００を包含するような範囲からなる領域である。この案内準備領域４０１と各案内領域４００との関係の一例を図４に示しており、その詳細については図４を用いて後述する。
【００７２】
このことから、案内準備領域４０１は、対応する案内領域４００よりも大きく（占有範囲が広く）、案内領域４００および案内準備領域４０１とは異なる外部の領域（外部領域）から案内領域４００に利用者が属するためには、案内準備領域４０１を経由することが必要となる。
【００７３】
上記に示すように、センサー３００は、案内領域４００に属することとなった利用者を認識するほか、このセンサー３００は、案内準備領域４０１に属することとなった利用者についても同様に検知する。つまり、センサー３００は、案内領域４００において利用者を「認識」するほか、案内準備領域４０１において利用者を「検知」する。
【００７４】
図４は、本発明の実施の形態における案内装置の近傍に設けられた案内領域と案内準備領域との関係を示した図である。
【００７５】
図４では、略矩形からなる案内領域４００と、その案内領域４００を包含し、楕円形状からなる案内準備領域４０１との関係を示している。これらの領域はあくまでも一例を示すものであって、その領域形状、サイズ等は問わない。
【００７６】
図４に示す案内領域４００は、長辺の長さが「２ｂ」であって、短辺の長さが「２ａ」であって、重心位置の座標が（ｘ、ｙ）である。このことから、案内領域４００の４頂点それぞれは、（ｘ−ｂ、ｙ−ａ）、（ｘ−ｂ、ｙ＋ａ）、（ｘ＋ｂ、ｙ＋ａ）、（ｘ＋ｂ、ｙ−ａ）と定義することができる。
【００７７】
よって、これら（ｘ−ｂ、ｙ−ａ）、（ｘ−ｂ、ｙ＋ａ）、（ｘ＋ｂ、ｙ＋ａ）、（ｘ＋ｂ、ｙ−ａ）の４頂点を直線で結んだ領域内部（直線上も含む）で利用者を認識したときには、利用者が案内領域４００に属していることを示す。
【００７８】
また、同様に、案内準備領域４０１の重心位置の座標を案内領域４００と同様の（ｘ、ｙ）とし、長軸の長さを「２ｄ」であって、短軸の長さを「２ｃ」とし、案内領域４００の長辺と案内準備領域４０１の長軸とが平行（若しくは、案内領域４００の短辺と案内準備領域４０１の短軸とが平行）するとき、案内領域４００の長辺の傾きを有する直線を接線としたときに楕円形状の案内準備領域４０１における接点は（ｘ、ｙ−ｃ）、（ｘ、ｙ＋ｃ）と定義できる。また、同様に、案内領域４００の短辺の傾きを有する直線を接線としたときに楕円形状の案内準備領域４０１における接点は（ｘ−ｄ、ｙ）、（ｘ＋ｄ、ｙ）と定義できる。
【００７９】
よって、これら（ｘ、ｙ−ｃ）、（ｘ、ｙ＋ｃ）、（ｘ−ｄ、ｙ）、（ｘ＋ｄ、ｙ）の４点を通過する楕円形状の内部であって、かつ、（ｘ−ｂ、ｙ−ａ）、（ｘ−ｂ、ｙ＋ａ）、（ｘ＋ｂ、ｙ＋ａ）、（ｘ＋ｂ、ｙ−ａ）の４頂点を直線で結んだ領域の外部で利用者を認識したときには、利用者が案内準備領域４０１に属していることを示す。
【００８０】
このとき、楕円形状からなる案内準備領域４０１の境界部で利用者を検知したとき、その境界部の位置を「案内開始準備位置」と称し、矩形の案内領域４００の境界部で利用者を検知したとき、その境界部の位置を「案内開始位置」と称する。
【００８１】
図５は、本発明の実施の形態における案内装置の詳細な構成を示すブロック図である。
【００８２】
図５において、案内装置１００は、検知処理部１０、属性情報識別部１１、検索部１２、通信部１３、記憶部１４、案内制御部１５、表示制御部１６、表示部１７、音声出力制御部１８、音声出力部１９を具備して構成されている。
【００８３】
この案内装置１００は、任意の施設における所定の設置場所に設置されており、その任意の施設における所定の設置場所における案内情報を、利用者に対して、その利用者の属性情報に基づく案内態様で案内することが可能な装置（機器、端末）である。
【００８４】
センサー３００である検知処理部１０では、案内準備領域４０１に属することとなった利用者をセンシングによって検知する。このセンシングによって、利用者の画像情報が撮像されることとなる。
【００８５】
また、検知処理部１０は、利用者を検知した案内準備領域４０１における検知位置の情報を案内制御部１５に対して通知する。このとき案内制御部１５は、その利用者の追跡検知を検知処理部１０に対して指示する。これによって、検知処理部１０では、検知した利用者の移動経路（起動軌跡）を継続的に検知（継続検知）し続けることで利用者の現在位置（現在地）を案内制御部１５へと通知する。
【００８６】
これによって、案内制御部１５は、検知処理部１０から通知される利用者の現在位置の情報をもとに、利用者の移動経路を追跡処理（トラッキング）する。
【００８７】
この案内制御部１５において行われる追跡処理は、記憶部１４において記憶している案内領域４００および案内準備領域４０１の内部での利用者の移動経路を追跡する処理である。
【００８８】
よって、この追跡処理によって、案内制御部１５が案内準備領域４０１に属している利用者が案内領域４００に属したと判断すると、案内制御部１５は、検知処理部１０に対して利用者が案内領域４００に属したことを通知する。これによって、検知処理部１０は、撮像した画像情報を属性情報識別部１１に送信する。
【００８９】
属性情報識別部１１は、検知処理部１０から画像情報を受信することで、その画像情報に対する利用者の属性情報を識別する。つまり、案内領域４００に属している利用者の属性情報を識別する属性識別処理を行う。
【００９０】
この属性識別処理として、外部のデータベースとの通信を行ってデータベース上で利用者を特定し、その利用者に対して管理している属性情報を受信することで属性情報の識別を行う場合には、属性情報識別部１１が通信部１３を介して外部のデータベースとの通信を行うこととなる。
【００９１】
また、案内装置１００の内部で属性情報を識別する場合（外部のデータベースを用いずに属性情報を識別する場合）には、属性情報識別部１１は、検知処理部１０から受信した画像情報を解析し、その画像情報に基づく利用者の特徴を特定する。そして、属性情報識別部１１は、特定した特徴を有する人物の属性情報を、記憶部１４において記憶している「特徴に対する属性情報」をもとに特定することで識別する。
【００９２】
このように、利用者の属性情報が識別されると、属性情報識別部１１は、この属性情報を検索部１２に送信する。
【００９３】
この検索部１２は、属性情報識別部１１より受信した属性情報をもとに、その属性情報を有する利用者に対して案内する案内情報を検索する。より詳細には、検索部１２は、利用者の属性情報をもとに、その案内装置１００において出力する案内情報を識別する案内情報ＩＤを記憶部１４から検索することとなる。
【００９４】
このほか、検索部１２は、通信部１３を介して、属性情報と、案内装置１００を識別する案内装置ＩＤとを外部のデータベースに送信することで、データベースがこの属性情報および案内装置ＩＤをもとに、この属性情報を有する利用者に対して、案内装置ＩＤによって識別される案内装置１００において案内する案内情報を識別する案内情報ＩＤを検索する。そして、検索部１２は、データベースからこの案内情報ＩＤを受信することで案内情報を検索した状態となる。
【００９５】
このようにして案内情報ＩＤの検索を行った検索部１２では、案内制御部１５にこの案内情報ＩＤを送信する。
【００９６】
案内制御部１５では、検索部１２により案内情報ＩＤを受信すると、案内領域４００に属した利用者に対して案内を開始する条件（「案内開始条件」と称する）が成立したか否かを判断する判断処理を行うとともに、記憶部１４において記憶している、案内情報ＩＤに対する案内情報の読み出しを行う。
【００９７】
この案内開始条件は、案内領域４００に属した利用者が案内を行う利用者であるか否かを判断するための条件であって、例えば、利用者が案内領域４００に継続して属している滞在時間や、案内領域４００内での利用者の動作（行動）に基づくものである。
【００９８】
滞在時間として、例えば、継続して「５秒」滞在しているときに、案内を行う利用者であると判断することが可能であり、また、動作として、例えば、手を振るなどの動作を検知したときに、案内を行う利用者であると判断することが可能である。
【００９９】
そして、案内制御部１５における判断処理によって、案内開始条件が成立したと判断すると、案内制御部１５は、表示制御部１６および音声出力制御部１８に案内情報を送出する。このときの案内情報は、案内に用いる表示データ（「案内表示データ」、「案内表示情報」とも称する）と、案内に用いる音声データ（「案内音声データ」、「案内音声情報」とも称する）との少なくとも一方によって構成されている。
【０１００】
このことから、表示データと音声データとは、関連する案内情報であると言える。
【０１０１】
表示制御部１６では、案内制御部１５から送出された表示データをもとに表示制御を行い、モニター１１０である表示部１７に対して送信する。また、音声出力制御部１８では、案内制御部１５から送出された音声データをもとに音声制御を行い、スピーカ２００である音声出力部１９に対して送信する。このとき、表示制御部１６と音声出力制御部１８が相互に連携することで、表示データの表示タイミングと音声データの出力タイミングとを同期させるような制御をおこなってもよい。
【０１０２】
これによって、表示部１７では、表示データに基づく案内情報を表示する。また、音声出力部１９では、音声データに基づく案内情報を音声出力する。
【０１０３】
図６および図７は、本発明の実施の形態における案内装置の表示部における表示態様の一例を示す図である。
【０１０４】
図６は、情報表示領域１１０ａと、音声出力状態表示領域１１０ｂとによって構成された、案内装置１００のモニター１１０を示している。
【０１０５】
このモニター１１０の情報表示領域１１０ａには、予め指定された表示態様で案内情報が表示された状態を示している。このときの案内情報は、主に３つの言語によって示されており、「英語」、「日本語」、「ドイツ語」からなる。この言語はあくまで一例である。
【０１０６】
また、音声出力状態表示領域１１０ｂでは、「英語」、「日本語」、「ドイツ語」による案内情報の音声出力状態を示している。図６に示す例では、「日本語」での案内情報が音声出力されているのに対して、「英語」、「ドイツ語」では案内情報の音声出力が行われていない状態を示している。
【０１０７】
これは、案内領域４００に属した利用者の属性情報である「国」が「日本」若しくは「使用言語」が「日本語」であると識別されたことによって、案内装置１００のスピーカ２００から、「日本語」による案内が行われていることを示している。
【０１０８】
つまり、図６の情報表示領域１１０ａに表示された案内情報は、利用者の属性情報に係わらず不変である。
【０１０９】
図７においても図６と同様、それぞれ、情報表示領域１１０ａと、音声出力状態表示領域１１０ｂとによって構成された、案内装置１００のモニター１１０を示している。
【０１１０】
図７において、図７（ａ）は、センサー３００によっていずれか１の案内領域４００でのみ利用者を認識しているとき、認識している利用者の人数（一人）と、その１の利用者が属する案内領域４００とに基づいて、情報表示領域１１０ａの所定の表示位置に、その利用者に応じた表示態様で案内情報を表示した例を示している。
【０１１１】
より具体的には、ある１の案内領域４００でのみ利用者を認識してその利用者の属性情報である「国」が「アメリカ」若しくは「使用言語」が「英語」であると識別されたことによって、その一人の利用者が属している案内領域４００に基づいて、情報表示領域１１０ａの所定の表示位置に、その利用者に応じた表示態様として、「英語」での表記を大きくした表示態様で表示しており、かつ、音声出力状態表示領域１１０ｂに、案内装置１００のスピーカ２００から「英語」による案内が行われ、「日本語」および「ドイツ語」による案内は行われていないことを示している。
【０１１２】
図７において、図７（ｂ）は、センサー３００によって複数の案内領域４００それぞれで異なる利用者を認識しているとき、認識している利用者の人数（複数人）と、その利用者それぞれが属する案内領域４００とに基づいて、情報表示領域１１０ａの所定の表示位置に、各利用者に応じた表示態様で案内情報を表示した例を示している。
【０１１３】
より具体的には、複数の案内領域４００でそれぞれ利用者を認識して、１の利用者の属性情報として、「国」が「アメリカ」若しくは「使用言語」が「英語」であると識別され、また、他の利用者の属性情報として、「国」が「日本」若しくは「使用言語」が「日本語」であると識別されたことによって、各利用者が属している案内領域４００に基づいて、情報表示領域１１０ａの所定の表示位置に、各利用者それぞれに応じた表示態様として、「英語」と「日本語」での表記を大きくした表示態様で表示しており、かつ、音声出力状態表示領域１１０ｂに、案内装置１００のスピーカ２００から「英語」と「日本語」による案内が行われ、「ドイツ語」による案内は行われていないことを示している。
【０１１４】
このことから、図７に示す例では、案内領域４００に属した利用者の属性情報に応じて、情報表示領域１１０ａに表示される案内情報の表示態様が切り替わる例を示している。
【０１１５】
図８は、本発明の実施の形態における案内装置において行われる案内制御処理の詳細な流れを示すフローチャートである。
【０１１６】
図８において、案内装置１００は、案内準備領域に利用者が属することでこれを検知したか否かを判断する（Ｓ８０１）。
【０１１７】
この判断処理において、案内準備領域に利用者が属したことを検知するまで（Ｓ８０１でＮＯ）は処理が開始されず、また、案内準備領域に利用者が属したことを検知すると（Ｓ８０１でＹＥＳ）、案内装置１００は、その検知した利用者の移動経路を追跡する追跡処理を行う（Ｓ８０２）。
【０１１８】
この追跡処理によって、「案内準備領域」に属していた利用者が「案内領域」に移動して属したことを、案内装置１００が認識したか否かを判断する（Ｓ８０３）。
【０１１９】
「案内領域」に移動して属したことを認識すると（Ｓ８０３でＹＥＳ）、案内装置１００は、利用者の属性情報を識別する（Ｓ８０４）。
【０１２０】
そして、案内装置１００は、少なくとも識別した「属性情報」をもとに、案内情報を検索する（Ｓ８０５）。このとき、この検索処理（Ｓ８０５）では、「属性情報」のほか、案内装置１００を識別する「案内装置ＩＤ」や案内装置１００が設けられた「場所情報」を用いて、案内情報を検索することとしてもよい。
【０１２１】
これによって、さまざまな場所に設けられた案内装置１００それぞれにおいて、その案内装置１００が設けられた場所情報に基づく最適な案内情報を表示することが可能となる。
【０１２２】
このようにして案内情報を検索すると、案内装置１００は、「案内開始条件」が成立したか否かを判断する（Ｓ８０６）。この「案内開始条件」とは、案内領域４００に属した利用者が案内を行うべき利用者であるか否かを判断する条件である。例えば、案内領域４００に一定時間以上、属していることを「案内開始条件」とすることができる。つまり、案内を必要としている利用者であるか否かを利用者の行動によって示していることを検知したときに、利用開始条件が成立したと判断することとなる。
【０１２３】
この案内開始条件が成立したか否かの判断処理において、案内開始条件が成立したと判断すると（Ｓ８０６でＹＥＳ）、案内装置１００は、続いて、利用者が属している「案内領域」および「案内情報」をもとに案内を行う出力制御処理を行う（Ｓ８０７）。
【０１２４】
この出力制御処理は、利用者が属する「案内領域」に対して音声出力する１または複数のスピーカを選択（特定）し、選択したスピーカが複数の場合、各スピーカからの音声信号を波面合成することで案内情報を音声出力する処理である。
【０１２５】
続いて、案内装置１００は、この出力制御処理によって、案内情報の出力による案内が完了したか否かを判断する（Ｓ８０８）。この判断処理において、案内情報の出力による案内が完了したと判断する場合（Ｓ８０８でＹＥＳ）、案内装置１００は、「案内情報」の出力を停止して（Ｓ８１０）、本フローチャートにおける案内制御処理を終了する。
【０１２６】
また、この判断処理において、案内情報の出力による案内が完了したと判断しない場合（Ｓ８０８でＮＯ）、つまり、まだ案内中である場合、案内装置１００は、続いて、案内情報の出力による案内が行われている状態で、利用者を「案内領域」において継続して認識している状態にあるか否かを判断する（Ｓ８０９）。
【０１２７】
案内情報の出力による案内が行われている状態で、利用者を「案内領域」において継続して認識している状態にあると判断する場合（Ｓ８０９でＹＥＳ）、案内装置１００は、再度、案内情報の出力による案内が完了したか否かを判断する（Ｓ８０８）処理を行う。
【０１２８】
また反対に、案内情報の出力による案内が行われている状態で、利用者を「案内領域」において継続して認識している状態にあると判断しない場合（Ｓ８０９でＮＯ）、案内装置１００は、「案内情報」の出力を停止して（Ｓ８１０）、本フローチャートにおける案内制御処理を終了する。
【０１２９】
つまり、利用者が案内領域４００から外部へと移動して施設の案内が不要となっている場合には案内情報の出力を停止することで、不要な案内が継続して行われることを防止し、他の利用者への案内を効率的に行えるようになる。
【０１３０】
さらに、上記のＳ８０３に示している、追跡処理によって、「案内準備領域」に属していた利用者が「案内領域」に移動して属したことを認識したか否かを判断する処理において、利用者が「案内領域」に移動して属したことを認識しない場合（Ｓ８０３でＮＯ）のほか、上記のＳ８０６に示している、「案内開始条件」が成立したか否かを判断する処理において、「案内開始条件」の成立前である場合（Ｓ８０６でＮＯ）には、案内装置１００は、続いて、案内準備領域の外部に利用者が移動したか否かを判断する（Ｓ８１１）。
【０１３１】
案内装置１００は、案内準備領域の外部に利用者が移動したと判断すると（Ｓ８１１でＹＥＳ）、本フローチャートにおける案内制御処理を終了する。また、案内装置１００は、案内準備領域の外部に利用者が移動したと判断しない場合（Ｓ８１１でＮＯ）、案内準備領域に利用者が滞在していると判断することから、その利用者の追跡を継続する（Ｓ８０２）。
【０１３２】
もちろん、この案内準備領域においても一定時間以上継続して属している利用者については、利用者の追跡を停止することとしてもよい。
【０１３３】
以上に示す実施の形態は、本発明の実施の一形態であって、これらの実施例に限定することなく、その要旨を変更しない範囲内で適宜変形して実施できるものである。
【符号の説明】
【０１３４】
１００    案内装置
１１０    モニター
１１０ａ  情報表示領域
１１０ｂ  音声出力状態表示領域
２００    スピーカ
３００    センサー
４００    案内領域
４０１    案内準備領域
【図１】
2017161448.tif 000003
【図２】
2017161448.tif 000004
【図３】
2017161448.tif 000005
【図４】
2017161448.tif 000006
【図５】
2017161448.tif 000007
【図６】
2017161448.tif 000008
【図７】
2017161448.tif 000009
【図８】
2017161448.tif 000010